(57)【要約】【課題】  各スキーヤー又はスノーボーダーに適したスキー板やスノーボードを判定者の熟練の程度等の個人差に左右されずに、的確に判定できるようにしたスキー板又はスノーボード判定方法およびスキー板又はスノーボード判定プログラムを提供することを目的とするものである。【解決手段】    スキーヤー又はスノーボーダーの体重、脚力およびスキー技術又はスノーボード技術のレベルに適したスキー板を判定するスキー板又はスノーボード判定方法であって、  前記体重，脚力およびスキー技術はスノーボード技術のレベルを入力し、前記体重および脚力に応じたスキー板又はスノーボードの曲げ特性を決定し、前記スキー技術又はスノーボード技術のレベルに応じたスキー板又はスノーボードの捩じれ特性を決定し、前記曲げ特性及び捩じれ特性に適したスキー板又はスノーボードを判定することを含むことを特徴とするものである。【選択図】    図２
2005224291.tif 000002
【特許請求の範囲】
【請求項１】
スキーヤー又はスノーボーダーの体重、脚力およびスキー技術又はスノーボード技術のレベルに適したスキー板又はスノーボードを判定するスキー板又はスノーボード判定方法であって、
前記体重，脚力およびスキー技術又はスノーボード技術のレベルを求め、前記体重および脚力に応じたスキー板又はスノーボードの曲げ特性を決定し、前記スキー技術又はスノーボード技術のレベルに応じたスキー板又はスノーボードの捩じれ特性を決定し、前記曲げ特性及び捩じれ特性に適したスキー板又はスノーボードを判定することを含むことを特徴とするスキー板又はスノーボード判定方法。
【請求項２】
複数種のスキー板又はスノーボードと、各スキー板又はスノーボードの曲げ特性及び捩れ特性との対応関係を記憶手段に記憶し、前記曲げ特性及び捩れ特性に対応したスキー板又はスノーボードを前記記憶手段から読み出すことを含むことを特徴とする請求項１に記載のスキー板又はスノーボード判定方法。
【請求項３】
スキーヤー又はスノーボーダーの嗜好する滑走方法を求め、当該滑走方法に適したスキー板又はスノーボードを判定することを更に含むことを特徴とする請求項１又は請求項２に記載のスキー板又はスノーボード判定方法。
【請求項４】
スキーヤー又はスノーボーダーの身長,体重,肥満の程度,年齢に応じて適したスキー板又はスノーボードを判定することを更に含むことを特徴とする請求項１乃至請求項３の何れか1項に記載のスキー板又はスノーボード判定方法。
【請求項５】
複数の適切なスキー板又はスノーボードの候補を読み出すことを特徴とする請求項１乃至請求項４の何れか1項に記載のスキー板又はスノーボード判定方法。
【請求項６】
判定されたスキー板又はスノーボードをスキーヤー又はスノーボーダーに報知することを特徴とする請求項１乃至請求項５の何れか１項に記載のスキー板又はスノーボード判定方法。
【請求項７】
前記報知は、表示であることを特徴とする請求項６に記載のスキー板又はスノーボード判定方法。
【請求項８】
複数種のスキー板又はスノーボードの曲げ特性及び捩じれ特性を記憶する板特性記憶手段と、スキーヤー又はスノーボーダーの体重及び脚力を測定する測定手段と、スキーヤー又はスノーボーダーのスキー技術又はスノーボード技術のレベルを入力する入力手段と、スキーヤー又はスノーボーダーの嗜好する滑走方法を入力する入力手段と、前記測定手段により計測された該体重及び脚力に対応するスキー板又はスノーボードの曲げ特性を求める曲げ特性検出手段と、前記スキー技術レベル又はスノーボード技術に対応するスキー板又はスノーボードの捩じれ特性を求める捩じれ特性検出手段とを備えたスキー板又はスノーボード判定システムにより、
スキーヤー又はスノーボーダーの体重、脚力、スキー技術又はスノーボード技術のレベルおよびスキーヤー又はスノーボーダーの嗜好する滑走方法に適したスキー板又はスノーボードを判定することを特徴とするスキー板又はスノーボード判定方法。
【請求項９】
スキーヤー又はスノーボーダーの体重、脚力およびスキー技術又はスノーボード技術のレベルに適したスキー板又はスノーボードを判定するスキー板又はスノーボード判定プログラムであって、
前記体重および脚力を入力するステップと、前記スキー技術又はスノーボード技術のレベルを入力するステップと、前記体重および脚力に応じてスキー板又はスノーボードの曲げ特性を決定するステップと、前記スキー技術又はスノーボード技術のレベルによってスキー板又はスノーボードの捩じれ特性を決定するステップと、前記曲げ特性及び捩じれ特性に適したスキー板又はスノーボードを判定するステップを含むことを特徴とするスキー板又はスノーボード判定プログラム。
【請求項１０】
複数種のスキー板又はスノーボードと、各スキー板又は各スノーボードの曲げ特性及び捩れ特性との対応関係を記憶手段に予め記憶するステップと、前記曲げ特性及び捩れ特性に対応したスキー板又はスノーボードを前記記憶手段から読み出すステップとを更に含むことを特徴とする請求項９に記載のスキー板又はスノーボード判定プログラム。
【請求項１１】
スキーヤー又はスノーボーダーの嗜好する滑走方法を入力するステップを含み、当該滑走方法に適したスキー板又はスノーボードを判定するステップを更に含むことを特徴とする請求項９又は請求項１０に記載のスキー板又はスノーボード判定プログラム。
【請求項１２】
スキーヤー又はスノーボーダーの身長,体重,肥満の程度,年齢に応じて適したスキー板又はスノーボードを判定することを更に含むことを特徴とする請求項９乃至請求項１１の何れか1項に記載のスキー板又はスノーボード判定プログラム。
【請求項１３】
曲げ特性及び捩れ特性に対応したスキー板又はスノーボードを前記記憶手段から読み出すステップにおいて、複数の適当なスキー板又はスノーボードの候補を読み出すことを特徴とする請求項９乃至請求項１２の何れか1項に記載のスキー板又はスノーボード判定プログラム。
【請求項１４】
判定されたスキー板又はスノーボードをスキーヤー又はスノーボーダーに報知することを特徴とする請求項９乃至請求項１３の何れか１項に記載のスキー板又はスノーボード判定プログラム。
【請求項１５】
前記報知は、表示によることを特徴とする請求項１４に記載のスキー板又はスノーボード判定プログラム。
【請求項１６】
前記報知は、音声によることを特徴とする請求項１４に記載のスキー板又はスノーボード判定プログラム。
【請求項１７】
各スキーヤー又はスノーボーダーに適すると判定されたスキー板又はスノーボードを用いて各スキーヤー又はスノーボーダーの滑走スタイルをシミュレーション表示することを特徴とする請求項１乃至請求項８の何れか1項に記載のスキー板又はスノーボードの判定方法。
【請求項１８】
各スキーヤー又はスノーボーダーに適すると判定されたスキー板又はスノーボードを用いて各スキーヤー又はスノーボーダーの滑走スタイルをシミュレーション表示することを特徴とする請求項９乃至請求項１６の何れか1項に記載のスキー板又はスノーボードの判定プログラム。
【発明の詳細な説明】
【技術分野】
【０００１】
本発明は、スキーヤー又はスノーボーダーの体重・脚力又は滑走技術等に基づき、当該スキーヤー又はスノーボーダーに適したスキー板又はスノーボードを判定できるようにしたスキー板又はスノーボード判定方法およびスキー板又はスノーボード判定プログラムに関する。
【背景技術】
【０００２】
各スキーヤー又はスノーボーダーに適したスキー板又はスノーボードは、各スキーヤー又はスノーボーダーの体重,脚力、スキーヤー又はスノーボーダーの滑走技術等に基づき判定することが好ましい。
【０００３】
そして、スキー板又はスノーボードを購入する際には、顧客が店頭へ出かけて好みのスキー板やスノーボードを選定している。
【０００４】
そして、従来、一般的に、顧客は、スキー板やスノーボードを明確な基準によることなく、身長又は体型に基づいて勘に頼って選定していたため、販売店の店員に勧められるスキー板やスノーボードをそのまま購入したり、単に価格とか外観に基づいて選定する場合が多く、各スキーヤー又はスノーボーダーの身体的特徴とその技術レベルに適したスキー板やスノーボードを的確に購入することは困難であった。
【０００５】
かかる各スキーヤー又はスノーボーダーに適したスキー板又はスノーボードを検索する方法として、各スキーヤー又はスノーボーダーの年齢、体重、身長、脚力といった身体的情報から、その各スキーヤー又はスノーボーダーに適したスキー板又はスノーボードの各部のサイズとフレックスを決定する方法が提案されている（特許文献１参照）。
【特許文献１】特開２００２−３１２３７１号公報
【発明の開示】
【発明が解決しようとする課題】
【０００６】
しかしながら、上記従来のスポーツ用品の検索方法においては、各スキーヤー又は
スノーボーダーの年齢、体重、身長、脚力といった身体的情報から、画一的にその各
スキーヤー又はスノーボーダーに適したスキー板又はスノーボードの各部のサイズと
フレックスを決定しており、それが各スキーヤー又はスノーボーダーの技術レベルに適応しているか否かということを予め考慮するものではない。
【０００７】
従って、上記従来のスポーツ用品の検索方法においては、各スキーヤー又はスノー
ボーダーは、検索されたスキー板又はスノーボードが自己の技術レベルに適合してい
るか否かについて、再検討する必要があるといった問題があった。
【０００８】
さらに、上記従来のスポーツ用品の検索方法においては、各スキーヤー又はスノー
ボーダーの技術レベルに適したスキー板又はスノーボードの捩れ特性との関係について考慮しているものではない。
【０００９】
本発明は、前記従来技術の実情に鑑みてなされたもので、その目的は、各スキーヤー又はスノーボーダーの身体的特徴と、その技術レベルに適したスキー板やスノーボードを的確に判定できるようにしたスキー板又はスノーボード判定方法及びスキー板又はスノーボード判定プログラムを提供するにある。
【００１０】
又、本発明の他の目的は、各競技者に適したスキー板又はスノーボードの開発,設計に利用できるスキー板又はスノーボード判定方法およびスキー板又はスノーボード判定プログラムを提供することにある。
【課題を解決するための手段】
【００１１】
請求項１に記載の発明は、スキーヤー又はスノーボーダーの体重、脚力およびスキー技術又はスノーボード技術のレベルに適したスキー板又はスノーボードを判定するスキー板又はスノーボード判定方法であって、
前記体重，脚力およびスキー技術はスノーボード技術のレベルを入力し、前記体重および脚力に応じたスキー板又はスノーボードの曲げ特性を決定し、前記スキー技術又はスノーボード技術のレベルに応じたスキー板又はスノーボードの捩じれ特性を決定し、前記曲げ特性及び捩じれ特性に適したスキー板又はスノーボードを判定することを含むことを特徴とするものである。
【００１２】
請求項２に記載の発明は、請求項１に記載のスキー板又はスノーボード判定方法において、複数種のスキー板又はスノーボードと、各スキー板又はスノーボードの曲げ特性及び捩れ特性との対応関係を記憶手段に記憶し、前記曲げ特性及び捩れ特性に対応したスキー板又はスノーボードを前記記憶手段から読み出すことを含むことを特徴とするものである。
【００１３】
請求項３に記載の発明は、請求項１又は請求項２に記載のスキー板又はスノーボード判定方法において、スキーヤー又はスノーボーダーの嗜好する滑走方法を求め、当該滑走方法に適したスキー板又はスノーボードを判定することを更に含むことを特徴とするものである。
【００１４】
請求項４に記載の発明は、請求項１乃至請求項３の何れか1項に記載の発明において、スキーヤー又はスノーボーダーの身長,体重,肥満の程度,年齢に応じて適したスキー板又はスノーボードを判定することを更に含むものである。
【００１５】
請求項５に記載の発明は、請求項２に記載のスキー板又はスノーボード判定方法において、複数の適当なスキー板又はスノーボードの候補を読み出すことを特徴とするものである。
【００１６】
請求項６に記載の発明は、請求項１乃至請求項４に記載のスキー板又はスノーボード判定方法において、判定されたスキー板又はスノーボードをスキーヤー又はスノーボーダーに報知することを特徴とするものである。
【００１７】
請求項７に記載の発明は、請求項５に記載のスキー板又はスノーボード判定方法において、前記報知は、表示であることを特徴とするものである。
【００１８】
請求項８に記載の発明は、複数種のスキー板又はスノーボードの曲げ特性及び捩じれ特性を記憶する板特性記憶手段と、スキーヤー又はスノーボーダーの体重及び脚力を測定する測定手段と、スキーヤー又はスノーボーダーのスキー技術又はスノーボード技術のレベルを入力する入力手段と、スキーヤー又はスノーボーダーの嗜好する滑走方法を入力する入力手段と、前記測定手段により計測された該体重及び脚力に対応するスキー板又はスノーボードの曲げ特性を求める曲げ特性検出手段と、前記スキー技術レベル又はスノーボード技術に対応するスキー板又はスノーボードの捩じれ特性を求める捩じれ特性検出手段とを備えたスキー板又はスノーボード判定システムにより、スキーヤー又はスノーボーダーの体重、脚力、スキー技術又はスノーボード技術のレベルおよびスキーヤー又はスノーボーダーの嗜好する滑走方法に適したスキー板又はスノーボードを判定することを特徴とするスキー板又はスノーボード判定方法である。
【００１９】
請求項９に記載の発明は、スキーヤー又はスノーボーダーの体重、脚力およびスキー技術又はスノーボード技術のレベルに適したスキー板又はスノーボードを判定するスキー板又はスノーボード判定プログラムであって、前記体重および脚力を入力するステップと、前記スキー技術又はスノーボード技術のレベルを入力するステップと、前記体重および脚力に応じてスキー板又はスノーボードの曲げ特性を決定するステップと、前記スキー技術又はスノーボード技術のレベルによってスキー板又はスノーボードの捩じれ特性を決定するステップと、前記曲げ特性及び捩じれ特性に適したスキー板又はスノーボードを判定するステップを含むことを特徴とするものである。
【００２０】
請求項１０に記載の発明は、請求項８に記載のスキー板又はスノーボード判定プログラムにおいて、複数種のスキー板又はスノーボードと、各スキー板又は各スノーボードの曲げ特性及び捩れ特性との対応関係を記憶手段に予め記憶するステップと、前記曲げ特性及び捩れ特性に対応したスキー板又はスノーボードを前記記憶手段から読み出すステップとを更に含むことを特徴とするものである。
【００２１】
請求項１１に記載の発明は、請求項９又は請求項１０に記載のスキー板又はスノーボード判定プログラムにおいて、スキーヤー又はスノーボーダーの嗜好する滑走方法を入力するステップを含み、当該滑走方法に適したスキー板又はスノーボードを判定するステップを更に含むことを特徴とするものである。
【００２２】
請求項１２に記載の発明は、請求項９乃至請求項１１の何れか1項に記載のスキー板又はスノーボード判定プログラムにおいて、スキーヤー又はスノーボーダーの身長,体重,肥満の程度,年齢に応じて適したスキー板又はスノーボードを判定することを更に含むことを特徴とするものである。
【００２３】
請求項１３に記載の発明は、請求項９乃至請求項１２の何れか1項に記載のスキー板又はスノーボード判定プログラムにおいて、曲げ特性及び捩れ特性に対応したスキー板又はスノーボードを前記記憶手段から読み出すステップにおいて、複数の適切なスキー板又はスノーボードの候補を読み出すことを特徴とするものである。
【００２４】
請求項１４に記載の発明は、請求項９乃至請求項１の何れか１項に記載のスキー板又はスノーボード判定プログラムにおいて、判定されたスキー板又はスノーボードをスキーヤー又はスノーボーダーに報知することを特徴とするものである。
【００２５】
請求項１５に記載の発明は、請求項１４に記載のスキー板又はスノーボード判定プログラムにおいて、前記報知は、表示によることを特徴とするものである。
【００２６】
請求項１６に記載の発明は、請求項１４に記載のスキー板又はスノーボード判定プログラムにおいて、前記報知は、音声によることを特徴とするものである。
【００２７】
請求項１７に記載の発明は、請求項１乃至請求項８の何れか1項に記載のスキー板又はスノーボード判定方法において、各スキーヤー又はスノーボーダーに適すると判定されたスキー板又はスノーボードを用いて各スキーヤー又はスノーボーダーの滑走スタイルをシミュレーション表示することを特徴とするものである。
【００２８】
請求項１８に記載の発明は、請求項９乃至請求項１６の何れか1項に記載のスキー板又はスノーボード判定プログラムにおいて、各スキーヤー又はスノーボーダーに適すると判定されたスキー板又はスノーボードを用いて各スキーヤー又はスノーボーダーの滑走スタイルをシミュレーション表示することを特徴とするものである。
【発明の効果】
【００２９】
請求項１に記載の発明によれば、スキーヤー又はスノーボーダーの体重,脚力、滑走技術に基づき、当該スキーヤー又はスノーボーダーに適したスキー板又はスノーボードを判定することができる。
【００３０】
請求項２に記載の発明によれば、記憶手段を検索することにより、各スキーヤー又はスノーボーダーの体重・脚力に基づき、当該各スキーヤー又はスノーボーダーに適したスキー板又はスノーボードを判定することができる。
【００３１】
請求項３に記載の発明によれば、スキーヤー又はスノーボーダーの嗜好する滑走方法に適したスキー板又はスノーボードを判定することができる。
【００３２】
請求項4に記載の発明によれば、スキーヤー又はスノーボーダーの身長,体重,肥満の程度,年齢に適したスキー板又はスノーボードを判定することができる。
【００３３】
請求項５に記載の発明によれば、各スキーヤー又はスノーボーダーは、自己に適した複数のスキー板又はスノーボードを判定することができる。
【００３４】
請求項６に記載の発明によれば、スキーヤー又はスノーボーダーは、自己に適したスキー板又はスノーボードを報知されて知ることができる。
【００３５】
請求項７に記載の発明によれば、スキーヤー又はスノーボーダーは、自己に適したスキー板又はスノーボードを表示されて知ることができる。
【００３６】
請求項８に記載の発明によれば、スキーヤー又はスノーボーダーの体重,脚力,スキー技術、スノーボード技術並びに嗜好する滑走方法に基づき、当該スキーヤー又はスノーボーダーに適したスキー板又はスノーボードを判定することができる。
【００３７】
請求項９に記載の発明によれば、スキーヤー又はスノーボーダーの体重,脚力,滑走技術に基づき、当該スキーヤー又はスノーボーダーに適したスキー板又はスノーボードを判定することができる。
【００３８】
請求項１０に記載の発明によれば、記憶手段を検索することにより、各スキーヤー又はスノーボーダーの体重・脚力に基づき、当該各スキーヤー又はスノーボーダーに適したスキー板又はスノーボードを判定することができる。
【００３９】
請求項１１に記載の発明によれば、各スキーヤー又はスノーボーダーの嗜好する滑走方法に適したスキー板又はスノーボードを判定することができる。
【００４０】
請求項１２に記載の発明によれば、各スキーヤー又はスノーボーダーの身長,体重,肥満の程度,年齢に適したスキー板又はスノーボードを判定することができる。
【００４１】
請求項１３に記載の発明によれば、各スキーヤー又はスノーボーダーは、自己に適した複数のスキー板又はスノーボードを判定することができる。
【００４２】
請求項１４に記載の発明によれば、スキーヤー又はスノーボーダーは、自己に適したスキー板又はスノーボードを報知されて知ることができる。
【００４３】
請求項１５に記載の発明によれば、スキーヤー又はスノーボーダーは、自己に適したスキー板又はスノーボードを表示されて知ることができる。
【００４４】
請求項１６に記載の発明によれば、スキーヤー又はスノーボーダーは、自己に適したスキー板又はスノーボードを音声によって知ることができる。
【００４５】
請求項１７に記載の発明によれば、各スキーヤー又はスノーボーダーは、自己に適すると判定されたスキー板又はスノーボードを用いた滑走を目視によって確認することができる。
【００４６】
請求項１８に記載の発明によれば、各スキーヤー又はスノーボーダーは、自己に適すると判定されたスキー板又はスノーボードを用いた滑走を目視によって確認することができる。
【発明を実施するための最良の形態】
【００４７】
図1に示すようにスキー板又はスノーボード判定システム１は、スキーヤーやスノーボーダーに関する情報を入力する入力手段２と、該入力手段２から入力したスキーヤーやスノーボーダーに関する情報に基づき当該スキーヤーやスノーボーダーに適したスキー板およびスノーボードを検索するパーソナルコンピュータ（以下、ＰＣと言う）３とを備えている。
【００４８】
スキーヤーやスノーボーダーに関する前記情報としては、スキーヤー又はスノーボーダーの体重や脚力と、スキー又はスノーボードに関する滑走技術等が該当する。
【００４９】
前記入力手段２としては、体重・脚力測定装置４やキーボード５等が該当する。前記ＰＣ３は、ＰＣ本体６と、該ＰＣ本体６に対する周辺機器としてのディスプレイ７と前記入力手段２としてのキーボード５を備えている。
【００５０】
スキーヤー又はスノーボーダーに関する前記体重や脚力は、該体重・脚力測定装置４で測定されて前記ＰＣ３に入力されるものである。又、スキー又はスノーボードに関する前記滑走技術は、前記キーボード５においてキー入力されるものである。スキーヤー又はスノーボーダーに関する前記体重,脚力並びに前記滑走技術の入力の手法については後述する。
図２に示すように、前記ＰＣ３のＰＣ本体６は、ＣＰＵ（図示せず）と、ＲＯＭ（図示せず）と、記憶手段８としてのＲＡＭを備えている。該記憶手段８には、スキー板又はスノーボードが有する曲げ特性,捩れ特性の大小によって、スキー板又はスノーボードがグループにグループ分けされて記憶されている。
【００５１】
前記ＲＯＭには、予め所定のプログラムソフトが内蔵され、ＣＰＵが該プログラムソフトを読み出すことにより、図２に示すように、板特性決定手段９と、板検索手段１０が構成されるものである。
【００５２】
前記板特性決定手段９は、スキーヤー又はスノーボーダーの体重、脚力によって、スキー板、又はスノーボードの曲げ特性を決定することができるものである。即ち、スキーヤー又はスノーボーダーの体重が重かったり、脚力が強い場合には、滑走中において、スキー板又はスノーボードに大きな荷重が加わるため、スキー板又はスノーボードが大きな荷重に耐えられるように、前記板特性決定手段９は、スキーヤー又はスノーボーダーの体重、脚力が大きくなるに従って、スキー板又はスノーボードの特性として大きな曲げ特性が必要である旨を決定するものである。
【００５３】
又、前記板特性決定手段９は、スキー又はスノーボードにおける滑走技術のレベルによって、スキー板又はスノーボードの捩れ特性を決定できるものである。即ち、スキーヤーやスノーボーダーはスキーやスノーボードに関する滑走技術が高くなるに従って、スキー板やスノーボードのエッジを立てて使う傾向にあり、このような滑走をする場合には、スキーやスノーボードに対して大きな捩れ力が加わる。このため、前記板特性決定手段９は、滑走技術の高いスキーヤーやスノーボーダーに対しては、捩れに対して強い特性を備えたスキー板やスノーボードが適している旨を決定するものである。
【００５４】
前記板検索手段１０は、前記記憶手段８の記憶内容を検索することにより、前記板特性決定手段９で決定された特性を有するスキー板又はスノーボードを選定するものである。
【００５５】
又、前記ＰＣ３のＲＯＭには、所定のプログラムソフトが内蔵され、当該プログラムソフトに基づき、前記キーボード５、ディスプレイ７および記憶手段８の動作が制御されるものである。
【００５６】
次に、キーボード５およびディスプレイ７によって、スキーヤー又はスノーボーダーの滑走技術を入力する手法について説明する。
【００５７】
先ず、キーボード５とディスプレイ７は、互いに対になって用いられるもので、ディスプレイ７の表示内容に応答しながらキーボードを操作して、所定の事項を入力することにより、スキーヤー又はスノーボーダーの滑走技術がキー入力されるものである。即ち、先ず、図３に示す顧客登録画面がディスプレイ７に表示された場合には、該顧客登録画面の空白部１１に、顧客を特定するために必要な所定の事項がキー入力される。この図３において、入力事項を確定するためには、確定部１２をクリックし、一方、リセットする場合には、リセット部１３をクリックする。又、図４に示す技術レベルイメージ画面がディスプレイ７に表示された場合には、当該技術レベルイメージ画面の内の自己の滑走イメージに該当する表示画像の番号を空白部１４に入力する。そして、入力事項を確定するためには、確定部１５をクリックする。該キーボード５から入力された入力内容は、前記ＰＣ３の記憶手段８（図２に示す）に記憶されるものである。
【００５８】
次に、図５にしめすように、「設問１：スキー大会に出場したことがある」,「設問２：資格テストを受講したことがある」,・・等の各問診が表示された場合には、キーボードによって各問診について「はい」又は「いいえ」をクリックすることにより選択するものである。そして、入力事項を確定する場合には、確定部１６をクリックし、一方、リセットする場合には、リセット部１７をクリックするものである。
【００５９】
以上説明したように、図４に示す技術レベルイメージ画面の内から、自己の滑走イメージに該当する表示画像の番号を空白部１４に入力し、更に、図５に示す各問診に応えることにより、スキーヤー又はスノーボーダーの滑走技術が決定されて入力されるものである。
【００６０】
次に、図６は、体重・脚力並びに該体重と脚力とを合算した最大荷重と、これら体重・脚力並びに最大荷重に対応したスキー板又はスノーボードの曲げ特性と、スキーヤー又はスノーボーダーの滑走技術と該滑走技術に対応したスキー板又はスノーボードの捩れ特性と、このように求められた曲げ特性および捩れ特性に該当する複数のスキー板又はスノーボードが、表示された状態を示すものである。図６は、体重が７５ｋｇｆで、脚力が１４５ｋｇｆで、最大荷重（体重と脚力との合算）が２２０ｋｇｆで、曲げ特性がＨＡＲＤの場合を示す。又、同図６は、滑走技術のレベルがＡＢで捩れ特性がＭＩＤＤＬＥの場合を示す。更に、同図６では、曲げ特性がＨＡＲＤで、捩れ特性がＭＩＤＤＬＥのスキー板又はスノーボードとして、４つのスキー板又はスノーボードが表示された状態を示す。ここで、曲げ特性は、前記最大荷重によって決定されるもので、最大荷重と曲げ特性との関係は図７に示すが、最大曲げ特性との数値上の関係は任意に変更が可能である。
【００６１】
前述のように、前記体重・脚力並びに該体重と脚力とを合算した最大荷重は、後述するように、前記脚力測定装置４（図１に示す）によって測定されるものである。前記スキー板又はスノーボードの曲げ特性は、前記板特性決定手段９によって決定されるものである。前記スキーヤー又はスノーボーダーの滑走技術は、前記キーボード５によってキー入力されるものである。前記スキー板又はスノーボードの捩れ特性は、前記スキーヤー又はスノーボーダーの滑走技術に基づき、前記板特性決定手段９に求められるものである。
【００６２】
前記図６の詳細部１８をクリックすることにより、各スキー板又はスノーボードの詳細が表示される。図８は、図６において、Ｎｏ．１のスキー板又はスノーボードが選択されて、その詳細が表示された状態を示す。図８は、スキー板又はスノーボードの詳細として、ブランド、品名、およびサイズの他に、スキー板又はスノーボードのトップ幅、ウェスト幅、テール幅、サイドカーブ半径、ブーツセンター位置、重量と、スキー板又はスノーボードの曲げ分布と、捩れ分布の状態を示している。スキー板又はスノーボードのショルダー幅Bs、ウェスト幅Bw、テール幅Bh、ブーツセンター位置Bは、図９に示す。
【００６３】
そして、図８に示す確定部１９をクリックすることにより、同図８に示すように詳細の表示されたスキー板又はスノーボードを顧客が選択する旨が確定し、一方、リセット部２０をクリックすることにより、同図８に示すように詳細に表示されたスキー板又はスノーボードを顧客が選択しない旨が確定するものである。
次に、図１に示した体重・脚力測定装置４の具体的な構成と、この体重・脚力測定装置４によってスキーヤー又はスノーボーダーの体重・脚力の入力の手法について説明する。
【００６４】
図１に示すように、脚力測定装置４は、測定部３１と、パーソナルコンピュータ（以下、ＰＣという）３２とを備えている。測定部３１は、被測定者に関する体重等の荷重を測定する機器である。ＰＣ３２は、測定部３１によって測定された測定値を入力して、被測定者の脚力や荷重の平面分布等を演算する処理を実行するものである。
前記測定部３１は、基台３３と、該基台３３の上に互いに平行に設けられた２つのフットプレート３４，３５を備えている。該フットプレート３４，３５は、脚力被測定者が左右の脚で個別に踏めるように二つ分離して設けられている。一方のフットプレート３４と前記基台３３との間には、三つの荷重センサ（ロードセル）３６，３７，３８が配置されている。又、他方のフットプレート３５と前記基台３３との間には、三つの荷重センサ３９，４０，４１が配置されている。該各荷重センサ３６乃至４１は、各フットプレート３４，３５に加わる荷重を検出するものである。
【００６５】
基台３３は、前記フットプレート３４，３５を支持できる形状であれば、所望の形状に形成できるものであるが、例えば、四つの支持体４２，４３，４４，４５を四角形に組付けて四角形の枠状に形成されると共に、支持体４３に平行に補助体４６が組み付けられて形成することができる。又、該基台３３の四隅には、キャスター４７を設けて、移動可能で且つ位置決め可能に形成することができる。該基台３３がこのように形成された場合、一方のフットプレート３４が支持体４５と補助体４６との間に架設され、他方のフットプレート３５が支持体４３と支持体４５との間に架設されて設けることができる。
【００６６】
前記フットプレート３４，３５は、細幅の長尺の形状に形成できる。両フットプレート３４，３５は、該フットプレート３４，３５自体に加わる荷重を効率良く前記荷重センサ３６乃至４１に伝達できるように、曲げや撓み等の変形し難い材質の硬質の部材によって形成されることが好ましい。一方のフットプレート３４の長手方向の先端部裏面には、該フットプレート３４よりも幅の広いセンサ取付部４８が固定されている。そして、該センサ取付部４８の裏面には、前記荷重センサ３６，３７が設けられている。又、該フットプレート３４の後端部の裏面には、前記荷重センサ３８が設けられている。
【００６７】
又、前記他方のフットプレート３５の長手方向の先端部裏面には、該フットプレート３５よりも幅の広いセンサ取付部４９が固定されている。そして、該センサ取付部４９の裏面には、前記荷重センサ３９，４０が設けられている。又、該フットプレート３５の後端部の裏面には、前記荷重センサ４１が設けられている。
前述のように、一方のフットプレート３４に対してセンサ取付部４８と三つの荷重センサ３６乃至３８が組み付けられることにより、一方のフットプレートユニット５０が構成される。又、他方のフットプレート３５に対してセンサ取付部４９と三つの荷重センサ３９乃至４１が組み付けられることにより、他方のフットプレートユニット５１が構成される。ここで、図１および図１１に示すように、荷重センサ３８は、一方のフットプレート３４の軸線Ｌ１上に位置し、荷重センサ３６，３７は、該荷重センサ３８と共に、二等辺三角形を形成する位置に配置されるものである。又、荷重センサ４１は、他方のフットプレート３５の軸線Ｌ２上に位置し、荷重センサ３９，４０は、該荷重センサ４１と共に、二等辺三角形を形成する位置に配置されるものである。
【００６８】
そして、前述のように構成される一方のフットプレートユニット５０は、支持体４５と補助体４６との間に架設されるものである。該フットプレートユニット５０の二つの荷重センサ３６，３７がセンサ取付部４８と補助体４６との間に挟まれ、荷重センサ３８がフットプレート３４と支持体４５との間に挟まれる状態で、該フットプレートユニット５０は補助体４６と支持体４５とに固定される。
【００６９】
又、他方のフットプレートユニット５１は、支持体４３と支持体４５との間に架設された状態で、これら支持体４３と支持体４５に沿って移動可能に設けることができる。この場合、二つの支持体４３，４５に対して移動可能に移動体５２，５３を該支持体４３，４５に装着し、該他方のフットプレートユニット５０の先端部及び後端部をこれら二つの移動体５２，５３にそれぞれ固定すれば、該他方のフットプレートユニット５１は、二つの支持体４３，４５の長手方向に沿って、前記一方のフットプレートユニット５０に対して接近、及び離間できて、二つのフットプレートユニット５０，５１の間の離間幅を任意に調整できるものである。
【００７０】
即ち、図１に示すように、前記移動体５２，５３は、例えば、断面がＣ字形に形成することができる。そして、前記移動体５２は、その開口５２ａ側から前記支持体４３に被せるようにして該支持体４３に装着することができる。又、前記移動体５３は、その開口５３ａ側から前記支持体４５に被せるようにして該支持体４５に装着することができる。このようにして、二つの支持体４３，４５に装着された移動体５２，５３は該支持体４３，４５の長手方向に沿って移動可能である。他方のフットプレートユニット５１の先端側は、二つの荷重センサ３９，４０がセンサ取付部４９と移動体５２との間に挟まれるようにして該移動体５２に取付けられ、該他方のフットプレートユニット５１の後端側は、荷重センサ４１がフットプレート３５と移動体５３との間に挟まれるようにして該移動体５３に取付けられるものである。
【００７１】
前記支持体４３，４５に対して、移動体５２，５３の位置決めをするために、移動体５２，５３を貫通してネジ５４を備えると共に、支持体４３,４５の長手方向に長孔５５を設け、該ネジ５４とナット（図示せず）とによって長孔５５の周縁を締め付けることにより、該支持体４３,４５に対して移動体52,５３の位置決めをできる構成になっている。
【００７２】
前記移動体５２，５３とネジ５４によって、フットプレート３４,３５間の離間幅を調整する幅調整手段が構成される。
【００７３】
前記両フットプレートユニット５０，５１に設けられた全ての荷重センサ３６乃至４１は、フットプレート３４，３５に加わる荷重を同一のサンプリング間隔で、測定するように設定されている。
【００７４】
又、前記支持体４２に一方の手すり５６を固定すると共に、他方の手すり５７の端部を前記移動体４３，４５に固定することにより、該他方の手すり５７は他方のフットプレートユニット５１及び移動体５２，５３と一緒に移動できるものである。両手すり５６，５７には、ゴム製等のグリップ部を設けることにより、握り易くすることができる。又、図１中、一点鎖線で示すように、固定側の手すり５６の一部に開閉部５６ａを設けて被測定者が通れるようにすると共に、階段Ｓを設けることにより、被測定者がフットプレート３４，３５上に容易に載ることができるようにしても良い。
【００７５】
図１２に示すように、前記ＰＣ３２は、入力手段としてのキーボード５８と、表示手段としてのディスプレイ５９と、ＣＰＵ６０と、記憶手段６１としてのＲＡＭと、ＲＯＭ６２と、脚力演算手段６３と、荷重分布解析手段６４とを備えている。
【００７６】
前記記憶手段６１は、荷重センサ３６乃至４１によって測定された一連の測定値を記憶する機器である。即ち、被測定者がフットプレート３４，３５に載って仮に二回の屈伸動作を行った場合、測定部３１で測定された測定値は図１３に示すように変動するが、前記記憶手段６１は、当該一連の測定値を記憶するものである。
【００７７】
前記脚力演算手段６３は、被測定者の脚力演算するもので、図１３に示すように、被測定者の屈伸時の荷重、即ち、最大荷重から被測定者の体重を減算することにより、被測定者の脚力を演算するものである。図１３に示す場合は、最大荷重が２２０kgｆであって体重が７５kgｆであるため、被測定者の脚力は、１４５kgｆである。
【００７８】
前記荷重分布解析手段６４は、前記記憶手段６１に記憶された測定値、即ち、各荷重センサ３６乃至４１によって測定された測定値に基づき、荷重の重心分布の状態を解析するものである。該荷重分布解析手段６４によって求められた荷重の重心分布の状態の一例を図１４に示す。図１４において、各点は、各瞬間における荷重の重心位置を示すものである。つまり、図１４は、所定時間中に所定のサンプリング間隔で荷重の重心位置を求め、その結果を複数個の点で示したものである。次に、荷重の重心分布の状態を求める手法について説明する。各瞬間における荷重の重心のＸ座標（ＸＧ）は数１によって求まり、Ｙ座標（ＹＧ）は数２によって求まる。又、全荷重は、数３によって求まる。
【００７９】
【数１】
2005224291.tif 000003
【００８０】
【数２】
2005224291.tif 000004
【００８１】
【数３】
2005224291.tif 000005
（但し、図１１に示すように、ｆ１は荷重センサ３７又は４０の測定値で、ｆ２は荷重センサ３６又は３９の測定値で、ｆ３は荷重センサ３８又は４１の測定値である。）
尚、図１４中、Ｙ軸は、フットプレート３４の軸心Ｌ１又はフットプレート３５の軸心Ｌ２に沿って設定され、Ｘ軸は、フットプレート３４又は３５の中心Ωを通って前記Ｙ軸に直交するように設定される。
【００８２】
次に、前記荷重分布解析手段６４によって求められた荷重の重心分布の時間の経過に伴った変位の様子を直線近似する手法について説明する。この直線近似は、最小自乗法を用いて行う。
【００８３】
前記直線近似は数４によって求まる。
【００８４】
【数４】
2005224291.tif 000006
前記直線の傾きｃは数５によって求まる。
【００８５】
【数５】
2005224291.tif 000007
又、前記直線の切片ｄは数６によっても求まる。
【００８６】
【数６】
2005224291.tif 000008
（但し、＜Ｘ＞は、測定した複数の荷重点のＸ座標の平均座標を示す。又、＜Ｙ＞は、測定した複数の荷重点のＹ座標の平均座標を示す。）
このようにして求めた近似直線は、図１４中、Ｌ３およびＬ４である。前記脚力演算手段６３、および荷重分布解析手段６４は、ＲＯＭに予め格納されているプログラムソフトに基づき、構成することができる。
【００８７】
前記表示手段５９は、図１３に示すように、荷重センサ３６乃至４１で測定された測定値をグラフで表示し、更に、図１４に示すように、荷重分布解析手段６４で解析された荷重の分布を画像表示するものである。
【００８８】
次に、各スキーヤー又はスノーボーダーの体重、脚力又は並びに各スキーヤー又はスノーボーダーの滑走技術に適したスキー板又はスノーボードを判定する方法について、図１５に基づき説明する。当該処理は、前述のように構成されたスキー板又はスノーボード判定システムを用いると共に、前記ＲＯＭに予め記憶されているスキー板又はスノーボード判定プログラムに基づき以下の処理を実行するものである。先ず、ステップS１において、複数種のスキー板又はスノーボードと、各スキー板又はスノーボードの曲げ特性又は捩れ特性を記憶手段８に予め記憶する。次に、ステップS２において、入力手段２としての脚力測定装置４又はキーボード５から、各スキーヤー又はスノーボーダーの体重、脚力又は並びに各スキーヤー又はスノーボーダーの滑走技術のレベルを入力する。
【００８９】
次に、前記ステップS２において入力された各スキーヤー又はスノーボーダーの体重、脚力又は並びに各スキーヤー又はスノーボーダーの滑走技術のレベルに適したスキー板又はスノーボードの曲げ特性又は捩れ特性を決定する（ステップS３）。その後、前記ステップS３において決定された曲げ特性又は捩れ特性に対応するスキー板又はスノーボードを判定する（ステップS４）。
【００９０】
次に、前記ステップS４において判定されたスキー板又はスノーボードを記憶手段８から読み出して、ステップS６において報知する。
【００９１】
図１６は、以上のように、スキーヤー又はスノーボーダーの体重・脚力,又は滑走技術に基づき、選択されたスキー板又はスノーボードを用いて滑走した場合のシミュレーションを示す。このシミュレーションを表示するには、選択されたスキー板又はスノーボードの長さ、サイドカーブ等に基づきターン弧半径Ｒを求めることが必要である。
【００９２】
次に、選択されたスキー板又はスノーボードのターン弧半径を求める手法について、図９,図１０,図１７,図１８に基づき説明する。
【００９３】
先ず、図９に示すように、スキー板の長手方向にＸ軸、幅方向にＹ軸を設定する。スキー板のテール幅（後半部の最も幅の広い部分）、ウェスト幅（中央部の幅の狭い部分）およびショルダー幅（前半部の幅の広い部分）をそれぞれBh,Bw,Bsとする。又、これらのスキー板の後端からの長さをそれぞれLh,Lw,Lsとする。サイドカーブ上のテール、ウェスト、およびショルダーの点をそれぞれＡ,Ｂ,Ｃとすれば、それぞれの座標は、Ａ（Lh,Bh／２）Ｂ（Lw,Bw／２）,Ｃ（Ls,Bs／２）と表される。又、直線ＡＣと、点Ｂから直線ＡＣへ垂直に下ろした直線との交点をＤとし、ＢＤ間の距離をScとする。更に、直線ＡＣを斜辺とする直角三角形ＡＣＥのＣＥの長さをＺ,∠ＣＡＥをαとする。
【００９４】
そして、スキー板をエッジング（角付け）すると、スキー板は直線ＡＣを軸にして回転すると仮定する（図１６参照。但し、エッジング角をθとする。）次に、点Ｂは垂直に雪面上（ＸＹ平面）へ押し付けられると仮定する。つまり、点ＢはＢ´に投影される。このようにしてできた弧ＡＢ´Ｃをターン弧と仮定し、点ＡＢ´Ｃを通る円弧の曲率半径を、エッジングした時のターン弧半径Ｒと仮定する（但し、点Ａおよび点Ｂの位置は動かないと仮定する。）
以上の設定において、ターン弧半径Ｒは、次ぎの手順で求める。先ず、図１８に示すように、点Ａを原点とし、直線ＡＣをＸ軸とする座標形を考える。点Ａ,Ｂ´,Ｃの座標をそれぞれ（X1,Y1）,（X2,Y2）（X3,Y3）とすれば、３点を通る円の一般式は数７で与えられる。
【００９５】
【数７】
2005224291.tif 000009
又、３点Ａ,Ｂ´,Ｃを通る円弧の中心座標（Ｓ,ｔ）は数８によって求まる。
【００９６】
【数８】
2005224291.tif 000010
又、前記円弧の半径Ｒは数９で求められる。
【００９７】
【数９】
2005224291.tif 000011
又、スキーヤーがＸ方向へ距離１００ｍ滑走したときのターン回数をＴとすると、
Ｔ＝１００／２Ｒによって求めることができる。
【００９８】
そして、ターン軌跡を表示する場合、図１９に示すようにＸＹ座標形系をとる。左ターンから右ターンへと連続するスキーターンは、エッジング角とスキー板の主要な３点の幅およびその位置より計算されたターン弧半径Ｒから、次ぎの一般式で表示できる。ターンの向きを決定する数値Ｋが奇数の時は左ターン,偶数の時は右ターンを意味する。
【００９９】
【数１０】
2005224291.tif 000012
そして、図１９に示すように、前述のＸ,Ｙを点で表示することにより、滑走の状態の静止画を表示することができる。
【０１００】
尚、図６に示すように、スキーヤーまたはスノーボ−ダーの嗜好によって、大回り、中回り、小回りの別を入力するようにしても良い。当該大回り、中回り、小回りの別は、図１５に示すフローチャートにおいて、ステップＳ２とステップＳ３との間に追加されるものである。そして、前述のように、各スキーヤー又はスノーボ−ダーに適していると判定されたスキー板又はスノーボードが、各スキーヤー又はスノーボ−ダーの嗜好によって選択された大回り、中回り、又は小回りに適す場合には、その旨を表示し、一方、適さない場合には、その旨を表示するようにしても良い。即ち、図２１は、各スキーヤー又はスノーボ−ダーに適していると判定されたスキー板又はスノーボードのターン弧半径が、図２１中、点で示すように、小回りの範囲に含まれて小回りに適す旨が表示される。一方、図２２は、各スキーヤー又はスノーボ−ダーに適して入ると判定されたスキー板又はスノーボードのターン弧半径が、小回りの範囲に含まれなことを該小回りの範囲の上限を黒く表示することにより、当該上限から外れている旨が表示されるものである。
【０１０１】
尚、以上の実施形態においては、図１に示すように、スキーヤー又はスノーボーダーの体重・脚力並びに最大荷重を求めるＰＣ３２と、板特性決定手段９および板検索手段１０を構成するＰＣ３とをそれぞれ別に設けたが、単一のＰＣによってこれら二つのＰＣを兼ねるように構成しても良い。
【０１０２】
又、以上の実施形態においては、スキーヤー又はスノーボーダーの体重,脚力並びに滑走技術のレベルに適したスキー板又はスノーボードを判定したが、スキーヤー又はスノーボーダーの嗜好する滑走方法や身長、肥満の程度,年齢を加味して、各スキーヤー又はスノーボーダーに適したスキー板又はスノーボードを判定するようにしても良い。
【０１０３】
更に、フットプレート３４，３５上に、スキー靴やスノーボード靴を装着するための装着部を設け、被測定者がスキー靴やスノーボード靴を履いた状態で、荷重を測定するようにすれば、より実際に近い状況下での脚力等を測定することができるものである。又、被測定者は、スキー靴やスノーボード靴を装着し、更に、スキー板やスノーボードを装着した状態で、フットプレート３４，３５上に載って荷重を測定するようにしても良い。
【０１０４】
又、フットプレート３４，３５は、水平に設けても良いが、該フットプレート３４，３５を前後方向に傾斜させ、又は該フットプレート３４，３５の軸芯Ｌ１，Ｌ２を中心に左右に傾斜させた状態で配置することにより、被測定者が該フットプレート３４，３５上に載った状態で、いわゆる、つま先上がりや、つま先下がりの状態、又は左右に捩れた状態になるようすれば、スキーやスノーボードを実際に行っている状態で、被測定者の脚力や重心分布を測定することができる。
【図面の簡単な説明】
【０１０５】
【図１】スキー板又はスノーボード判定システムである。
【図２】ブロック図である。
【図３】ディスプレイの表示内容である。
【図４】ディスプレイの表示内容である。
【図５】ディスプレイの表示内容である。
【図６】ディスプレイの表示内容である。
【図７】ディスプレイの表示内容である。
【図８】ディスプレイの表示内容である。
【図９】スキー板の座標系を示す図である。
【図１０】スキー板のターン弧の解析図を示す。
【図１１】荷重センサの配置の状態を示す。
【図１２】脚力測定装置のブロック図である。
【図１３】脚力測定装置によって測定された値の状態を示す。
【図１４】脚力測定装置によって測定された荷重値の平面分布を示す。
【図１５】フローチャートを示す。
【図１６】シミュレーションを示す。
【図１７】スキー板をエッジングした状態を示す図である。
【図１８】エッジングした時のターン弧半径を示す図である。
【図１９】ターンの表示を点で示す図である。
【図２０】図１９を前方の斜め情報から観た状態に座標変換した状態の図である。
【図２１】スキーヤー又はスノーボーダーの選択した滑走方法（小回り）においてターン弧半径と、判定されたスキー板又はスノーボードのターン弧半径との関係を示す図である。
【図２２】図２１と同様の図である。
【符号の説明】
【０１０６】
１  スキー板又はスノーボード判定システム
２  入力手段
８  記憶手段
９  板特性決定手段
１０  板検索手段
【図１】
2005224291.tif 000013
【図２】
2005224291.tif 000014
【図３】
2005224291.tif 000015
【図４】
2005224291.tif 000016
【図５】
2005224291.tif 000017
【図６】
2005224291.tif 000018
【図７】
2005224291.tif 000019
【図８】
2005224291.tif 000020
【図９】
2005224291.tif 000021
【図１０】
2005224291.tif 000022
【図１１】
2005224291.tif 000023
【図１２】
2005224291.tif 000024
【図１３】
2005224291.tif 000025
【図１４】
2005224291.tif 000026
【図１５】
2005224291.tif 000027
【図１６】
2005224291.tif 000028
【図１７】
2005224291.tif 000029
【図１８】
2005224291.tif 000030
【図１９】
2005224291.tif 000031
【図２０】
2005224291.tif 000032
【図２１】
2005224291.tif 000033
【図２２】
2005224291.tif 000034